(57)【要約】【課題】シール性を高めることができる蓋シール構造を提供する。【解決手段】デジタルカメラ１００は、ボディ１２０と、蓋２００と、防水パッキン２０４と、を備えている。ボディ１２０は開口３１０を形成するシール部３００を有している。蓋２００は開口３１０を開閉可能に設けられている。防水パッキン２０４は、蓋２００に装着されるベース部２０４ｃと、ベース部２０４ｃから突出した第１密着部２０４ａと、ベース部２０４ｃから突出した第２密着部２０４ｂと、を有している。【選択図】図７
2011190932.tif 000002
【特許請求の範囲】
【請求項１】
開口を形成するシール部を有する筐体と、
前記開口を開閉可能に設けられた蓋と、
前記蓋に装着されるベース部と、前記ベース部から突出し前記シール部に密着可能に設けられた第１密着部と、前記ベース部から突出し前記シール部に密着可能に設けられた第２密着部と、を有する防水パッキンと、
を備えた蓋シール構造。
【請求項２】
前記シール部は、前記第１密着部と接触可能な第１シール面と、前記第２密着部と接触可能な第２シール面と、を有している、
請求項１に記載の蓋シール構造。
【請求項３】
前記第２シール面は、前記第１シール面よりも前記開口の近くに配置されている、
請求項２に記載の蓋シール構造。
【請求項４】
前記第１シール面は、前記第２シール面に対して傾斜している、
請求項２または３に記載の蓋シール構造。
【請求項５】
前記第１シール面は、前記開口に向かって傾斜している、
請求項２から４のいずれかに記載の蓋シール構造。
【請求項６】
前記筐体は、前記第１シール面および前記第２シール面により形成され前記第１密着部および前記第２密着部が収容される凹部を有している、
請求項２から５のいずれかに記載の蓋シール構造。
【請求項７】
前記蓋は、概ね板状の部材であり、
前記第２シール面は、前記蓋が閉状態の場合に前記蓋の主面に概ね平行に配置されている、
請求項２から６のいずれかに記載の蓋シール構造。
【請求項８】
前記蓋が閉状態の場合に、前記蓋の主面に対する前記第１シール面の傾斜角度は、前記蓋の主面に対する前記第２シール面の傾斜角度と異なっている、
請求項７に記載の蓋シール構造。
【請求項９】
前記第１密着部が前記第１シール面に押し付けられた状態で、前記第１密着部は、前記開口から遠ざかるように弾性変形する、
請求項２から８のいずれかに記載の蓋シール構造。
【請求項１０】
前記第１密着部が前記第１シール面に押し付けられた状態で、前記第１密着部は、前記第２密着部から遠ざかるように弾性変形する、
請求項２から９のいずれかに記載の蓋シール構造。
【請求項１１】
前記第２密着部が前記第２シール面に押し付けられた状態で、前記第２密着部は、前記開口から遠ざかるように弾性変形する、
請求項２から１０のいずれかに記載の蓋シール構造。
【請求項１２】
前記第１密着部は、前記ベース部から外側に向かって突出している、
請求項２から１１のいずれかに記載の蓋シール構造。
【請求項１３】
前記第１密着部が前記第１シール面に接触しており、かつ、前記第２密着部が前記第２シール面に接触している状態で、前記第１密着部および前記第２密着部の間には空間が形成されている、
請求項２から１２のいずれかに記載の蓋シール構造。
【請求項１４】
前記筐体は、前記開口の縁に形成され前記第２シール面から突出する受け部を有している、
請求項２から１３のいずれかに記載の蓋シール構造。
【請求項１５】
前記第２密着部が突出する方向は、前記第１密着部が突出する方向と異なっている、
請求項１から１４のいずれかに記載の蓋シール構造。
【請求項１６】
前記第２密着部は、前記蓋が閉状態の場合に前記第１密着部よりも前記開口の近くに配置されている、
請求項１から１５のいずれかに記載の蓋シール構造。
【請求項１７】
前記筐体は、前記開口を含み付属品を収納するための収納部を有している、
請求項１から１６のいずれかに記載の蓋シール構造。
【請求項１８】
前記蓋は、前記開口を開閉可能に前記筐体に連結されている、
請求項１から１７のいずれかに記載の蓋シール構造。
【請求項１９】
前記シール部は、前記開口を取り囲むように形成されており、
前記第１密着部は、前記シール部と全周にわたり密着可能であり、
前記第２密着部は、前記シール部と全周にわたり密着可能である、
請求項１から１８のいずれかに記載の蓋シール構造。
【請求項２０】
請求項１から１９のいずれかに記載の蓋シール構造を備えた電子機器。
【発明の詳細な説明】
【技術分野】
【０００１】
ここに開示される技術は、蓋シール構造に関する。
【背景技術】
【０００２】
生活防水機能を有する電子機器や水中でも使用することができる電子機器は、電池等を収納する収納部を隠蔽する蓋に、収納部への水の浸入を防止するための蓋構造を採用することが多い。また、収納部には、電池の他にメモリカード等の記憶媒体が収納されることも多い。
このような電子機器にあっては、収納部に水が浸入することは致命的である。電池が短絡してしまうことはもちろん、電子機器がデータの生成、編集、記録等を行なうものであれば、大切なデータが消滅したり破壊されたりする事態も起こりうる。
さらに、近年では、マリンケース等の防水機能を備えた外装品を用いなくとも、そのままで水深数ｍから１０ｍ程度の海中で使用することができるデジタルカメラが市販されている。このようなデジタルカメラでは、高い水圧に耐えて防水機能を維持するために、より防水機能を高めた蓋構造が求められる。また、防水機能が備わっていない電子機器に対してマリンケース等の外装品を用いる場合であっても、上記と同様に、外装品に対して比較的高い防水機能が求められる。
【０００３】
特許文献１に記載の電池蓋構造では、防水パッキン受けの外周に沿って装着された防水パッキンが電池収納室の開口部の傾斜面に密着することによって、電池収納部をシールしている。
【先行技術文献】
【特許文献】
【０００４】
【特許文献１】特開２００３−１４２８４１号公報
【発明の概要】
【発明が解決しようとする課題】
【０００５】
しかしながら、特許文献１に記載の電池蓋構造では、防水パッキンが電池収納室の開口部の傾斜面に一箇所で線接触するので、防水パッキンと電池収納室の開口部の傾斜面との間に髪の毛や砂等の異物を挟み込んでしまった場合、電池収納室のシール状態を維持することが難しい。
ここに開示される技術は、シール性を高めることができる蓋シール構造を提供することを目的とする。
【課題を解決するための手段】
【０００６】
ここに開示される蓋シール構造は、筐体と、蓋と、防水パッキンと、を備えている。筐体は開口を形成するシール部を有している。蓋は開口を開閉可能に設けられている。防水パッキンは、蓋に装着されるベース部と、ベース部から突出しシール部に密着可能に設けられた第１密着部と、ベース部から突出しシール部に密着可能に設けられた第２密着部と、を有している。
ここで、蓋シール構造は、電子機器および電子機器を収納するマリンケースなどの外装品に用いることができる。
この蓋シール構造では、防水パッキンが第１密着部および第２密着部を有しているので、シール部と第１密着部との間に異物を挟まって隙間が生じたとしても、シール部および第２密着部によりシール状態を保つことができる。また、シール部と第２密着部との間に異物を挟まって隙間が生じたとしても、シール部および第１密着部によりシール状態を保つことができる。
【発明の効果】
【０００７】
したがって、ここに開示される蓋シール構造であれば、シール性を高めることができる。
【図面の簡単な説明】
【０００８】
【図１】（Ａ）デジタルカメラの背面図、（Ｂ）デジタルカメラの正面図、（Ｃ）デジタルカメラの底面図
【図２】（Ａ）〜（Ｄ）蓋の開閉動作を説明する図
【図３】（Ａ）デジタルカメラの底面図（蓋が閉状態の場合、図２（Ａ）に対応）、（Ｂ）デジタルカメラの底面図（蓋が開状態の場合、図２（Ｄ）に対応）
【図４】防水パッキンの斜視図
【図５】蓋および蓋ロック機構の断面図
【図６】（Ａ）図５の部分拡大図、（Ｂ）図５の部分拡大図
【図７】図３（Ａ）のVII−VII断面図
【図８】（Ａ）図７の部分拡大図、（Ｂ）図７の部分拡大図
【図９】（Ａ）図８（Ａ）に対応する防水パッキンおよびシール部の部分拡大図（蓋を閉める直前）、（Ｂ）図８（Ｂ）に対応する防水パッキンおよびシール部の部分拡大図（蓋を閉める直前）
【発明を実施するための形態】
【０００９】
＜デジタルカメラの構成＞
図１（Ａ）〜４（Ｃ）を用いて第１実施形態に係るデジタルカメラ１００について説明する。なお、説明の便宜上のため、デジタルカメラ１００に対して３次元直交座標系を設定する。Ｘ軸はデジタルカメラ１００を使用する際の左右方向に平行に設定されている。Ｙ軸はデジタルカメラ１００の光軸ＡＸと平行に設定されている。Ｚ軸はデジタルカメラ１００を使用する際の上下方向（鉛直方向）に平行に設定されている。以下の説明では、Ｘ軸方向は、Ｘ軸に平行な方向とし、第１方向の一例である。Ｙ軸方向はＹ軸に平行な方向とする。さらに、Ｚ軸方向はＺ軸に平行な方向とする。被写体に向かって左側をＸ軸方向正側とする。Ｙ軸方向の被写体側をＹ軸方向正側とする。Ｚ軸方向に沿って上側をＺ軸方向正側とする。
【００１０】
なお、デジタルカメラ１００の通常姿勢（以下、横撮り姿勢ともいう）における鉛直上側（Ｚ軸方向正側）を上、鉛直下側（Ｚ軸方向負側）を下ともいうが、これらの表現はデジタルカメラ１００の使用状態を限定するものではない。
図１（Ａ）〜図１（Ｃ）に示すように、デジタルカメラ１００（電子機器の一例）は、光学系１１０、ストロボ１１１、操作ユニット１３０、ボディ１２０（筐体の一例）、蓋２００（蓋の一例）、蓋ロック機構１４０および防水パッキン２０４（防水パッキンの一例）を備えている。
図１（Ｂ）に示すように、光学系１１０は、デジタルカメラ１００の正面に配置されており、光を撮像素子（図示せず）に導く。光学系１１０は光軸ＡＸを有している。暗所での撮影を可能にするために、ストロボ１１１がデジタルカメラ１００の正面に設けられている。例えば、デジタルカメラ１００は、特定の被写体に自動的にピントを合わせるオートフォーカス機能を採用している。暗所においてもオートフォーカス機能を適切に作用させるために、ＡＦ補助光発光部１１２が設けられている。
【００１１】
図１（Ａ）に示すように、操作ユニット１３０は、電源ボタン１０１、モードダイヤル１０２、液晶モニタ１０３、シャッタボタン１０４、動画ボタン１０５、再生ボタン１０６、十字操作ボタン１０７、クイックメニューボタン１０８およびディスプレイボタン１０９を有している。操作ユニット１３０はボディ１２０の上面および背面に設けられている。
電源ボタン１０１を押すと、デジタルカメラ１００の電源が投入される。モードダイヤル１０２を回転させることで所望の撮影モードを選択することができる。液晶モニタ１０３に被写体が表示されるので、液晶モニタ１０３に表示される被写体を見ながら構図を決定することができる。シャッタボタン１０４を押すと、静止画を撮影することができる。また、動画ボタン１０５を押すと、動画を撮影することができる。再生ボタン１０６を押すと、撮影した静止画や動画を液晶モニタ１０３に再生することができる。
【００１２】
十字操作ボタン１０７を押下すると、撮影や再生における様々な設定を行うことができる。十字操作ボタン１０７を構成する各ボタンには、方向を示す他に、個別の機能が割り当てられていてもよい。例えば、十字操作ボタン１０７の上ボタンには、上方向を示す他に、露出補正の機能が割り当てられている。また、十字操作ボタン１０７の中央には、メニューボタン１０７ａが設けられている。このメニューボタン１０７ａを押すと、液晶モニタ１０３に設定メニュー画面が表示される。
クイックメニューボタン１０８を押すと、一部の設定を簡単に変更することができる。クイックメニューボタン１０８は、撮影した静止画や動画の削除を行う削除ボタンとしても機能する。
ディスプレイボタン１０９を押すと、液晶モニタ１０３に表示される情報が切り替わる。液晶モニタ１０３には、撮影情報や構図の決定を補助するガイドライン等が表示される。
【００１３】
図２（Ｄ）に示すように、ボディ１２０は、デジタルカメラ１００の外装やフレームを含んでおり、収納部３２０を有している。収納部３２０にはバッテリ３０１およびメモリカード３０２などの付属品が取り外し可能に収納されている。収納部３２０はバッテリ３０１およびメモリカード３０２を抜き差しするための開口３１０（開口の一例）を有している。開口３１０は、Ｘ軸方向に延びる概ね長方形を有しており、ボディ１２０の底面に形成されている。蓋２００が開口３１０を開閉可能にボディ１２０に連結されている。
蓋２００が開いた際にバッテリ３０１が落下しないように、収納部３２０はバッテリロック３０４を有している。バッテリロック３０４を図３（Ｂ）において上向きにスライドさせると、バッテリ３０１のロックが外れてバッテリ３０１を取り外すことができる。蓋２００が閉状態の場合にバッテリロック３０４が防水パッキン２０４に接触しないように、防水パッキン２０４には窪み２０４ｍが設けられている（図４参照）。
【００１４】
メモリカード３０２をデジタルカメラ１００に取り付けるために、収納部３２０には、いわゆるプッシュ−プッシュ式のコネクタが採用されている。そのため、メモリカード３０２を取り付けたり取り外したりするためには、メモリカード３０２を図３（Ｂ）中奥向きに所定量だけ押し込まなければならない。したがって、メモリカード３０２の頭部は、図３（Ｂ）において手前向きに若干突出している。蓋２００が閉状態の場合に、メモリカード３０２の頭部が防水パッキン２０４に当接しないように、防水パッキン２０４には、窪み２０４ｄが設けられている（図４参照）。
図３（Ｂ）に示すように、収納部３２０は開口３１０の周縁に配置された概ね環状のシール部３００を有している。ここで、「概ね環状」とは、途中で途切れずに連続して形成されている形状を意味している。したがって、シール部３００のような四角形も「概ね環状」に含まれる。蓋２００が閉状態の場合に、シール部３００には防水パッキン２０４が密着する。シール部３００は開口３１０を形成している。シール部３００の詳細については後述する。
【００１５】
図２（Ｄ）、図３（Ａ）および図３（Ｂ）に示すように、ボディ１２０の底面には、デジタルカメラ１００を三脚や一脚に固定するための取付ネジ穴１１３が設けられている。また、ボディ１２０の底面には、開口３１０を開閉するために蓋２００が装着されている。
開口３１０の縁にはヒンジ２０３が設けられており、蓋２００はヒンジ２０３によりボディ１２０に回転可能に連結されている。ヒンジ２０３はデジタルカメラ１００の底面側の角に配置されている。開口３１０がＸ軸方向に細長いので、蓋２００もＸ軸方向に細長い概ね長方形を有している。本実施形態では、蓋２００は回転軸線Ａを中心に回転するがボディ１２０に対してＸ軸方向にスライドしない。また、本実施形態では、ヒンジ２０３にコイルバネは設けられておらず、自動的に蓋２００が開放する構成にはなっていない。その代わり、図２（Ａ）〜（Ｄ）に示すように、蓋外装２００ａの一部はデジタルカメラ１００の正面から見えているので、蓋２００を手で開けやすくなっている。
【００１６】
なお、自動的に蓋２００が開くようにするために、ヒンジ２０３にコイルバネを設けてもよい。この場合、第１ロックレバー２０１をＣ方向にスライドさせると、ロック爪２０１ａおよび突起３０３によるロックが解除されて、コイルバネの弾性力により蓋２００が自動的に開く。
蓋２００を開けると、収納部３２０に収納されているバッテリ３０１およびメモリカード３０２が見える。必要に応じて、バッテリ３０１やメモリカード３０２を収納部３２０に取り付けたり収納部３２０から取り外したりすることができる。
蓋２００は、樹脂製の蓋外装２００ａと、蓋外装２００ａを補強する金属製の補強板２００ｂと、を有している。蓋外装２００ａは、ボディ１２０とともにデジタルカメラ１００の外装を構成している。補強板２００ｂは、蓋外装２００ａの裏側に装着されており、蓋外装２００ａと防水パッキン２０４との間に配置されている。蓋２００を閉状態でロックするために、蓋２００には蓋ロック機構１４０が設けられている。
【００１７】
図５に示すように、蓋ロック機構１４０は、第１ロックレバー２０１、板バネ２０５および第２ロックレバー２０２を有している。
第１ロックレバー２０１は、蓋２００を閉状態でロックするために設けられており、蓋２００によりＸ軸方向に沿って移動可能に支持されている。第１ロックレバー２０１は板バネ２０５と当接可能に配置されている。図３に示すように、第１ロックレバー２０１はロック爪２０１ａを有している。ボディ１２０はロック爪２０１ａと当接可能に設けられた突起３０３を有している。第１ロックレバー２０１が閉位置に配置されている場合、ロック爪２０１ａはヒンジ２０３に引っかかる。第１ロックレバー２０１が開位置に配置されている場合、ロック爪２０１ａはヒンジ２０３に引っかからない。
板バネ２０５は、第１ロックレバー２０１が開位置に移動するのを規制するために設けられており、Ｚ軸方向に弾性変形可能に蓋２００に装着されている。板バネ２０５は、Ｘ軸方向に細長く延びており、蓋２００の裏面に沿って配置されている。板バネ２０５が延びている方向はデジタルカメラ１００の長手方向と一致している。板バネ２０５は例えば金属製である。
【００１８】
板バネ２０５は、第１ロックレバー２０１が開位置へ移動するのを規制する規制位置と第１ロックレバー２０１が開位置へ移動するのを許容する退避位置との間を移動可能に配置されている。板バネ２０５の規制位置および退避位置の切り替えは第２ロックレバー２０２により行われる。
板バネ２０５は凸部２０５ａを有している。凸部２０５ａは、第２ロックレバー２０２側に突出しており、板バネ２０５が折り曲げられ形成されている。板バネ２０５が第２ロックレバー２０２により案内される際に、凸部２０５ａは第２ロックレバー２０２の案内部２０２ｃと摺動する。凸部２０５ａは第２ロックレバー２０２のＸ軸方向の移動を規制する。
第２ロックレバー２０２は、第１ロックレバー２０１を閉位置でロックするために設けられており、蓋２００によりＸ軸方向に沿って移動可能に支持されている。第２ロックレバー２０２は板バネ２０５の位置を規制位置および退避位置に切り替え可能に配置されている。
【００１９】
第２ロックレバー２０２は案内部２０２ｃを有している。案内部２０２ｃは、レバー本体２０２ｂから板バネ２０５の方へ突出しており、板バネ２０５と摺動可能に設けられている。案内部２０２ｃは板バネ２０５を規制位置および退避位置に案内する。具体的には、案内部２０２ｃは凹部２０２ａを有している。第２ロックレバー２０２がロック位置に配置されている場合、凹部２０２ａには板バネ２０５の凸部２０５ａが嵌り込んでおり、板バネ２０５が規制位置で保持されている。凹部２０２ａに凸部２０５ａが嵌りこんでいるので、凸部２０５ａにより第２ロックレバー２０２のＸ軸方向の移動が規制される。第２ロックレバー２０２がロック位置からロック解除位置へ移動すると、板バネ２０５が規制位置から退避位置へ案内される。
＜防水パッキンおよび収納部の構成＞
図２（Ｄ）に示すように、蓋２００とボディ１２０との間に形成される隙間から液体や塵埃が収納部３２０に進入するのを防止するために、蓋２００の裏面には防水パッキン２０４が装着されている。ここで、図４〜図９（Ｂ）を用いてシール部３００および防水パッキン２０４の詳細について説明する。
【００２０】
図７に示すように、防水パッキン２０４は芯材２０４ｆおよびパッキン本体２０４ｋを有している。芯材２０４ｆは、金属性であり、ビス２０７により蓋２００に固定されている。芯材２０４ｆが金属製であるので、防水パッキン２０４の形状をある程度保つことができる。また、金属性の芯材２０４ｆを蓋２００に固定するので、防水パッキン２０４の取付強度を高めることができる。芯材２０４ｆはパッキン本体２０４ｋに封入されている。
パッキン本体２０４ｋは、シリコンゴム製であり、全体が一体成形されている。パッキン本体２０４ｋの材質としては、シリコンゴムの他にも、例えば、ウレタンゴム、ニトリルゴムおよびフッ素ゴムが考えられる。
図７に示すように、パッキン本体２０４ｋは、ベース部２０４ｃ、第１密着部２０４ａおよび第２密着部２０４ｂを有している。ベース部２０４ｃは、芯材２０４ｆを覆っており、芯材２０４ｆを介して蓋２００に装着されている。
【００２１】
図９（Ａ）および（Ｂ）に示すように、第１密着部２０４ａは、シール部３００に密着可能に設けられた概ね環状の部分であり、ベース部２０４ｃから突出している。第１密着部２０４ａはベース部２０４ｃから外側に向かって突出している。より詳細には、第１密着部２０４ａはベース部２０４ｃから外周側へ突出しており、蓋２００の主面２００ｃに対して第１密着部２０４ａの突出する方向は概ね平行となっている。
図９（Ａ）および（Ｂ）に示すように、第２密着部２０４ｂは、シール部３００に密着可能に設けられた概ね環状の部分であり、ベース部２０４ｃから突出している。第２密着部２０４ｂが突出する方向は、第１密着部２０４ａが突出する方向と異なっている。本実施形態では、第２密着部２０４ｂはベース部２０４ｃから蓋２００と反対側に突出しており、蓋２００の主面２００ｃに対して第２密着部２０４ｂの突出する方向は傾斜している。
【００２２】
ボディ１２０のシール部３００は、開口３１０を形成する概ね環状の部分であり、防水パッキン２０４と密着可能な位置に配置されている。シール部３００は開口３１０を取り囲むように形成されている。防水パッキン２０４の第１密着部２０４ａおよび第２密着部２０４ｂはシール部３００と全周にわたり密着可能となっている。具体的には、ボディ１２０は概ね環状の第１シール面３００ａおよび概ね環状の第２シール面３００ｂを有している。
第１シール面３００ａは防水パッキン２０４の第１密着部２０４ａと接触可能に設けられている。第１シール面３００ａは第２シール面３００ｂに対して傾斜している。具体的には、第１シール面３００ａは開口３１０に近づくにつれて第２シール面３００ｂに近づくように傾斜している。バッテリ３０１およびメモリカード３０２を抜き差しする方向（Ｄ方向）に対して第１シール面３００ａが傾斜していると言うこともできる。本実施形態では、Ｄ方向はＺ軸方向に平行である。第１シール面３００ａはシール部３００の内側寸法が開口３１０に向かって徐々に小さくなるように傾斜している。このように、第１シール面３００ａが傾斜しているので、蓋２００を閉める際に第１密着部２０４ａが第１シール面３００ａに密着しやすくなる。なお、第１シール面３００ａはＤ方向に平行であってもよい。
【００２３】
第２シール面３００ｂは防水パッキン２０４の第２密着部２０４ｂと接触可能に設けられている。第２シール面３００ｂは第１シール面３００ａよりも開口３１０の近くに配置されている。第２シール面３００ｂは、蓋２００が閉状態の場合に蓋２００の主面２００ｃに概ね平行に配置されている。また、第２シール面３００ｂはＤ方向に対して概ね垂直に配置されている。第２シール面３００ｂがＤ方向に概ね垂直であるため、第２シール面３００ｂが蓋２００を閉める際の押圧力を受け止める。したがって、蓋２００を閉める際に蓋２００を過度に押し込んでしまうことを防止できる。
蓋２００を基準とすると、蓋２００が閉状態の場合に、蓋２００の主面２００ｃに対する第１シール面３００ａの傾斜角度は、蓋２００の主面２００ｃに対する第２シール面３００ｂの傾斜角度と異なっている。
【００２４】
ここで、蓋２００を閉めた際の防水パッキン２０４およびシール部３００の状態について説明する。
図８（Ａ）および（Ｂ）に示すように、蓋２００が閉状態の場合に、第１密着部２０４ａはシール部３００の第１シール面３００ａに密着する。第１シール面３００ａが傾斜しているので、第１密着部２０４ａが第１シール面３００ａに押し付けられた状態で、第１密着部２０４ａは、開口３１０から遠ざかるように弾性変形する。言い換えると、第１密着部２０４ａが第１シール面３００ａに押し付けられた状態で、第１密着部２０４ａは、第２密着部２０４ｂから遠ざかるように弾性変形する。
図８（Ａ）および（Ｂ）に示すように、蓋２００が閉状態の場合に、第２密着部２０４ｂはシール部３００の第２シール面３００ｂに密着する。第２密着部２０４ｂは、蓋２００が閉状態の場合に第１密着部２０４ａよりも開口３１０の近くに配置されている。第２密着部２０４ｂが第２シール面３００ｂに押し付けられた状態で、第２密着部２０４ｂは、開口３１０から遠ざかるように弾性変形する。言い換えると、第１密着部２０４ａが第１シール面３００ａに押し付けられた状態で、第１密着部２０４ａは、第１密着部２０４ａに近づくように弾性変形する。第１密着部２０４ａが第１シール面３００ａに接触しており、かつ、第２密着部２０４ｂが第２シール面３００ｂに接触している状態で、第１密着部２０４ａおよび第２密着部２０４ｂの間には空間Ｓが形成されている。これにより、第１密着部２０４ａおよび第２密着部２０４ｂが弾性変形する際に互いに干渉することがない。第２密着部２０４ｂが第２シール面３００ｂに押し付けられるので、第２密着部２０４ｂはクッションの役割をも果たす。このため、蓋２００や蓋ロック機構１４０などの他の構成部材に不要なストレスが作用しにくくなる。
【００２５】
さらに、開口３１０の縁には、概ね環状の受け部３００ｃが設けられている。受け部３００ｃは第２シール面３００ｂから突出している。受け部３００ｃを設けることで、第２密着部２０４ｂを第２シール面３００ｂに確実に密着させることができる。また、受け部３００ｃの外周部には、第１シール面３００ａと隣接する概ね環状の傾斜面３００ｆが形成されている。傾斜面３００ｆは第２シール面３００ｂに向かって傾斜している。傾斜面３００ｆにより、蓋２００を閉める際に第２密着部２０４ｂが第２シール面３００ｂ側に導かれ、第２密着部２０４ｂが開口３１０から遠ざかるように弾性変形しやすくなる。
さらに、第１シール面３００ａ、第２シール面３００ｂおよび受け部３００ｃによりシール溝３００ｇ（凹部の一例）が形成されている。シール溝３００ｇは開口３１０を取り囲むように配置されている。蓋２００が閉状態の場合に、シール溝３００ｇには第１密着部２０４ａおよび第２密着部２０４ｂが収容される。このシール溝３００ｇにより、蓋２００を開けた際に水が収納部３２０に流れ込みにくくなる。
【００２６】
また、防水パッキン２０４には突起部２０４ｅが設けられている。蓋２００が閉状態の場合に、突起部２０４ｅは収納部３２０内に設けられた蓋検出スイッチ３０５を押圧する。これにより、蓋２００が確実に閉まっていない場合に電源の投入を禁止したり、あるいは、蓋２００が開いた場合にメモリカード３０２へのアクセスを中止して電源を切断する準備を開始したりすることができる。
さらに、ビス２０７を蓋２００に取り付けるために、防水パッキン２０４には取付孔２０４ｈが設けられている。取付孔２０４ｈの周辺部には、ベース部２０４ｃから蓋２００側に突出する環状突出部２０４ｇが形成されている。ビス２０７により防水パッキン２０４が蓋２００に装着される際、環状突出部２０４ｇは蓋２００に押し付けられる。このため、防水パッキン２０４を蓋２００に取り付ける際の取付強度を高めることができる。
【００２７】
＜蓋の開閉動作＞
続いて、蓋２００を開く際の動作を説明する。図２（Ａ）〜図２（Ｄ）は、閉状態から開状態までの蓋２００の動作を時系列で示している。図２（Ａ）〜図２（Ｄ）では、デジタルカメラ１００は天地が逆になっている。
図２（Ａ）に示す状態では、第１ロックレバー２０１のロック爪２０１ａが突起３０３に引っかかっている（図５参照）。また、第２ロックレバー２０２によって板バネ２０５の先端が第１ロックレバー２０１に当接する規制位置で保持されている（図５参照）。この状態では、第１ロックレバー２０１は、Ｃ方向に移動することができない。したがって、蓋２００が容易に開放することはない。図２（Ａ）に示す状態で第２ロックレバー２０２をＣ方向にスライドさせると、蓋ロック機構１４０は図２（Ｂ）に示す状態となる。
【００２８】
図２（Ｂ）に示す状態では、板バネ２０５の先端が第２ロックレバー２０２によりＺ軸方向正側に押されて第１ロックレバー２０１に当接しない退避位置に配置されているので、第１ロックレバー２０１をＣ方向にスライドさせることができる。図２（Ｂ）に示す状態では、第１ロックレバー２０１をまだＣ方向にスライドさせていないので、第１ロックレバー２０１のロック爪２０１ａが突起３０３に引っかかっている。したがって、蓋２００は開放しない。図２（Ｂ）に示す状態で第１ロックレバー２０１をＣ方向にスライドさせると、蓋ロック機構１４０は図２（Ｃ）に示す状態となる。
図２（Ｃ）に示す状態では、第１ロックレバー２０１のロック爪２０１ａが突起３０３に引っかかっていないので、図２（Ｄ）に示すように蓋２００を開放することができる。
図２（Ｄ）に示すように、蓋２００が開放した状態では、収納部３２０が露出している。収納部３２０には、バッテリ３０１およびメモリカード３０２が収納されている。蓋２００を開放することによって、バッテリ３０１とメモリカード３０２を取り付けたり取り外したりすることができる。
【００２９】
なお、蓋２００を閉める際の動作は、蓋２００を開ける際の動作の逆になる。図６（Ａ）図６（Ｂ）、図８（Ａ）および図８（Ｂ）に示すように、蓋２００を閉める際、防水パッキン２０４がシール部３００に押付けられる。具体的には、第１密着部２０４ａが第１シール面３００ａに押し付けられ、第２密着部２０４ｂが第２シール面３００ｂに押し付けられる。蓋ロック機構１４０により蓋２００が閉状態でロックされると、防水パッキン２０４は図６（Ａ）図６（Ｂ）、図８（Ａ）および図８（Ｂ）に示す状態となり、防水パッキン２０４および蓋２００により収納部３２０は密閉状態となる。
＜特徴＞
以上に説明したデジタルカメラ１００の特徴を以下にまとめる。
（１）デジタルカメラ１００では、防水パッキン２０４が第１密着部２０４ａおよび第２密着部２０４ｂを有しているので、シール部３００と第１密着部２０４ａとの間に異物を挟まって隙間が生じたとしても、収納部３２０に水が浸入するのをシール部３００および第２密着部２０４ｂにより防止できる。また、シール部３００と第２密着部２０４ｂとの間に異物を挟まって隙間が生じたとしても、収納部３２０に水が浸入するのをシール部３００および第１密着部２０４ａにより防止できる。
【００３０】
このように、上記の構成であれば、簡素な構成によりシール性を高めることができる。
（２）第１シール面３００ａが開口３１０に近づくにつれて第２シール面３００ｂに近づくように傾斜しているので、蓋２００を閉めると第１密着部２０４ａが第１シール面３００ａに徐々に押し付けられる。したがって、第１密着部２０４ａおよび第１シール面３００ａの密着度を高めやすくなる。
（３）第１密着部２０４ａが第１シール面３００ａに押し付けられた状態で、第１密着部２０４ａは開口３１０から遠ざかるように弾性変形するので、第１密着部２０４ａが密閉領域の外側に向かって弾性変形することになる。このため、外部の圧力により第１密着部２０４ａが第１シール面３００ａに押付けられ、第１密着部２０４ａでのシール性が高まる。
【００３１】
また、第１密着部２０４ａが第１シール面３００ａに押し付けられた状態で、第１密着部２０４ａは、第２密着部２０４ｂから遠ざかるように弾性変形するので、第１密着部２０４ａおよび第２密着部２０４ｂが互いに干渉することなく、第１密着部２０４ａおよび第２密着部２０４ｂの弾性変形が妨げられない。すなわち、第１密着部２０４ａおよび第２密着部２０４ｂでのシール性をともに確保することができる。
（４）第２密着部２０４ｂが第２シール面３００ｂに押し付けられた状態で、第２密着部２０４ｂは、開口３１０から遠ざかるように弾性変形するので、第２密着部２０４ｂが密閉領域の外側に向かって弾性変形することになる。このため、外部の圧力により第２密着部２０４ｂが第２シール面３００ｂに押付けられ、第２密着部２０４ｂでのシール性が高まる。
【００３２】
（５）第１密着部２０４ａが第１シール面３００ａに接触しており、かつ、第２密着部２０４ｂが第２シール面３００ｂに接触している状態で、第１密着部２０４ａおよび第２密着部２０４ｂの間には空間Ｓが形成されている。したがって、第１密着部２０４ａおよび第２密着部２０４ｂが互いに干渉することなく、第１密着部２０４ａおよび第２密着部２０４ｂの弾性変形が妨げられない。すなわち、第１密着部２０４ａおよび第２密着部２０４ｂでのシール性をともに確保することができる。
また、第１密着部２０４ａおよび第１シール面３００ａの間を通過した異物を空間Ｓに滞留させることができ、第２密着部２０４ｂおよび第２シール面３００ｂの間にその異物がかみ込むのを抑制できる、という効果も期待できる。
＜その他の実施形態＞
本発明は、前述の実施形態に限定されるものではなく、本発明の範囲を逸脱することなく種々の変形および修正が可能である。
【００３３】
なお、以降の説明では、前述の実施形態と実質的に同じ機能を有する構成については、同じ符号を使用し、その詳細な説明は省略する。
（１）前述の実施形態では、デジタルカメラ１００を例に蓋シール構造について説明しているが、以上に説明した蓋シール構造はデジタルカメラ１００などの電子機器だけでなく他の装置にも適用可能である。例えば、以上に説明した蓋シール構造は、電子機器を収容する防水ケース（例えばデジタルカメラのマリンケース）にも用いることができる。
また、前述の実施形態では、ボディ１２０を例に筐体について説明しているが、筐体の構成はボディ１２０に限定されない。例えば、筐体が収納部３２０を有していなくてもよく、例えば開口３１０を形成するシール部３００を有していればよい。
（２）前述の実施形態では、防水パッキン２０４を例に防水パッキンについて説明しているが、防水パッキンの構成は防水パッキン２０４に限定されない。例えば、防水パッキン２０４が第１密着部２０４ａおよび第２密着部２０４ｂ以外に別の密着部を有していてもよい。
【００３４】
また、前述の実施形態では、第１密着部２０４ａがベース部２０４ｃから外側に向かって突出しているが、第１密着部の突出する方向は前述の方向に限定されない。同様に、第２密着部２０４ｂがベース部２０４ｃから突出している方向は、前述の方向に限定されない。さらに、第２密着部２０４ｂが突出する方向が第１密着部２０４ａが突出する方向と異なっているが、第１密着部２０４ａおよび第２密着部２０４ｂの突出する方向が同じであってもよい。
さらに、第１密着部２０４ａおよび第２密着部２０４ｂの配置が互いに入れ替わってもよい。
（３）前述の実施形態では、シール部３００を例にシール部について説明しているが、シール部の構成はシール部３００に限定されない。例えば、シール部３００が第１シール面３００ａおよび第２シール面３００ｂを有しているが、シール部３００が第１シール面３００ａのみを有している場合も考えられる。この場合、第１密着部２０４ａおよび第２密着部２０４ｂを第１シール面３００ａに密着するように配置すればよい。
【００３５】
また、シール部３００が第２シール面３００ｂのみを有している場合も考えられる。この場合、第１密着部２０４ａおよび第２密着部２０４ｂを第２シール面３００ｂに密着するように配置すればよい。
（４）前述の実施形態では、第２シール面３００ｂが第１シール面３００ａよりも開口３１０の近くに配置されているが、第２シール面３００ｂが第１シール面３００ａよりも開口３１０から遠い位置に配置されていてもよい。つまり、第１シール面３００ａおよび第２シール面３００ｂの配置が入れ替わっている場合も考えられる。
また、第１シール面３００ａが第２シール面３００ｂに対して傾斜しているが、第１シール面３００ａが第２シール面３００ｂに対して傾斜しておらず第２シール面３００ｂと平行に配置されていてもよい。また、第１シール面３００ａがＤ方向に対して傾斜しているが、第１シール面３００ａがＤ方向に平行（つまり、第２シール面３００ｂに対して垂直）に配置されていてもよい。さらに、第１シール面３００ａが開口３１０に向かって傾斜しているが、第１シール面３００ａが前述の構成と異なる方向に傾斜していてもよい。
【００３６】
（５）前述の実施形態では、第１シール面３００ａおよび第２シール面３００ｂにより形成されるシール溝３００ｇを有しているが、シール部３００がシール溝３００ｇのような凹部を有していなくてもよい。また、凹部の構成はシール溝３００ｇに限定されない。
【産業上の利用可能性】
【００３７】
以上に説明した技術によれば、シール性を高めることができるので、以上に説明した技術はデジタルカメラ等の電子機器あるいは電子機器を収容するケース等の蓋シール構造に適用可能である。
【符号の説明】
【００３８】
１００    デジタルカメラ
１０１    電源ボタン
１０２    モードダイヤル
１０３    液晶モニタ
１０４    シャッタボタン
１０５    動画ボタン
１０６    再生ボタン
１０７    十字操作ボタン
１０８    クイックメニューボタン
１０９    ディスプレイボタン
１１０    光学系
１１１    ストロボ
１１２    ＡＦ補助光発光部
１１３    三脚ネジ穴
２００    蓋（蓋の一例）
２０１    第１ロックレバー
２０１ａ  ロック爪
２０２    第２ロックレバー
２０２ａ  凹部
２０３    ヒンジ
２０４    防水パッキン（防水パッキンの一例）
２０４ａ  第１密着部（第１密着部の一例）
２０４ｂ  第２密着部（第２密着部の一例）
２０４ｍ  窪み
２０４ｄ  窪み
２０４ｅ  突起部
２０４ｆ  芯材
２０４ｇ  環状突出部
２０４ｈ  開口部
２０５    板バネ
２０５ａ  凸部
２０７    ビス
３００    シール部（シール部の一例）
３００ａ  第１シール面（第１シール面の一例）
３００ｂ  第２シール面（第２シール面の一例）
３００ｃ  受け部（受け部の一例）
３００ｆ  傾斜面
３００ｇ  シール溝（凹部の一例）
３０１    バッテリ（付属品の一例）
３０２    メモリカード（付属品の一例）
３０３    突起
３０４    バッテリロック
３０５    蓋閉止検出スイッチ
【図１】
2011190932.tif 000003
【図２】
2011190932.tif 000004
【図４】
2011190932.tif 000005
【図５】
2011190932.tif 000006
【図６】
2011190932.tif 000007
【図７】
2011190932.tif 000008
【図８】
2011190932.tif 000009
【図９】
2011190932.tif 000010
【図３】
2011190932.tif 000011